(57)【特許請求の範囲】
【請求項１】
マシンルームレスエレベータシステムにおけるエレベータかご案内装置であって、
上記エレベータシステムにおいて、昇降路に設けられたガイドレールの上部に駆動モータが取り付けられ、かごガイドレールに沿ってエレベータかごが移動し、
上記かご案内装置は、エレベータかごに配設された少なくとも２つの上部ガイド構成要素を備え、第１の上部ガイド構成要素は、（ａ）駆動モータが取付けられた側と同一の側においてエレベータかごに取り付けられ、（ｂ）第２の上記ガイド構成要素がエレベータかごに配設された位置に対して垂直方向にオフセットした位置においてエレベータかごに配設されており、これにより、昇降路内のエレベータかごを、最上部に移動させることができることを特徴とする案内装置。
【請求項２】
上記オフセットは、０．２ｍ〜０．５ｍであることを特徴とする請求項１に記載の案内装置。
【請求項３】
上記オフセットは、異常時のかごのオーバトラベルを考慮した距離のマージンＤを含むことを特徴とする請求項１に記載の案内装置。
【請求項４】
上部かごガイド構成要素の各々は、対応する上記かごガイドレールをスライド可能に収容するＵ型の凹部を有するスライドであることを特徴とする請求項１に記載の案内装置。
【請求項５】
エレベータかごに配設された少なくとも２つの下部ガイド構成要素をさらに備えることを特徴とする請求項１に記載の案内装置。
【請求項６】
上記第１の上部かごガイド構成要素は、かご枠のポストに取り付けられたクロスビームに取り付けられ、このクロスビームは、上記第１の上部かごガイド構成要素の高さ位置に凹部を備えることを特徴とする請求項１に記載の案内装置。
【請求項７】
昇降路と、
少なくとも２つのガイドレールと、
少なくとも２つのガイドレールに沿って昇降路内を垂直方向に移動するエレベータかごと、
少なくとも２つのカウンタウエイト用のガイドレールと、
前記カウンタウエイト用のガイドレールに沿って昇降路内を垂直方向に移動するカウンタウエイトと、
かご用あるいはカウンタウエイト用のガイドレールの少なくとも一方の上部に取付けられる駆動モータと、
エレベータかごに配設された少なくとも２つの上部ガイド構成要素と、
を備え、
上記かご案内装置は、エレベータかごに配設された少なくとも２つの上部ガイド構成要素を備え、第１の上部ガイド構成要素は、（ａ）駆動モータが取付けられた側と同一の側においてエレベータかごに取り付けられ、（ｂ）第２の上記ガイド構成要素がエレベータかごに配設された位置に対して垂直方向にオフセットした位置においてエレベータかごに配設されており、これにより、昇降路内のエレベータかごを最上部に移動させることができることを特徴とするマシンルームレスエレベータシステム。
【請求項８】
上記オフセットは、０．２ｍ〜０．５ｍであることを特徴とする請求項７に記載のマシンルームレスエレベータシステム。
【請求項９】
上記オフセットは、異常時のかごのオーバトラベルを考慮した距離のマージンＤを含むことを特徴とする請求項７に記載のマシンルームレスエレベータシステム。
【請求項１０】
上部かごガイド構成要素の各々は、対応する上記かごガイドレールをスライド可能に収容するＵ型の凹部を有するスライドであることを特徴とする請求項７に記載のマシンルームレスエレベータシステム。
【請求項１１】
エレベータかごに配設された少なくとも２つの下部ガイド構成要素をさらに備えることを特徴とする請求項７に記載のマシンルームレスエレベータシステム。
【請求項１２】
上記第１の上部かごガイド構成要素は、かご枠のポストに取り付けられたクロスビームに取り付けられ、このクロスビームは、上記第１の上部かごガイド構成要素の高さ位置に凹部を備えることを特徴とする請求項７に記載のマシンルームレスエレベータシステム。
【発明の詳細な説明】
【技術分野】
【０００１】
本発明は、マシンルームレスエレベータのかご案内装置に関する。
【背景技術】
【０００２】
エレベータかごガイドレールにかごをスライドさせて案内する構成要素は、通常、ガイド部材の中心線の間の間隔が最大になるように、それぞれ同一の高さに、かつかごの上端部及び下端部において、互いに向かい合って配置されることが知られている。
【発明の開示】
【発明が解決しようとする課題】
【０００３】
しかしながら、駆動モータが側壁の上部に取り付けられるマシンルームレスエレベータにおいては、横方向に突出している駆動モータ側のかご上部のスライドを案内する構成要素が、モータやブラケットの垂直な突起に干渉する可能性があるので、該構成要素によって、昇降路内の所定の高さにかごを移動することが制限される可能性がある。
【課題を解決するための手段】
【０００４】
本発明は、この欠点を解消することを目的としており、エレベータかごが、かごガイドレール上をスライドまたは転がる一体型の向かい合った上方及び下方のかごガイド構成要素によって案内され、駆動モータやブラケットの垂直な突起に干渉する少なくとも上方のかごガイド構成要素が、向かい側のかごガイド構成要素より低い高さの位置においてこのかごに取り付けられ、これにより、昇降路内のかごを、該かごの上部が駆動モータまたはブラケットの向かい側に位置する高さに移動させることができる、昇降路のかごガイドレールの上部に取り付けられた駆動モータを有するマシンルームレスエレベータのかご案内装置を提供する。
【０００５】
モータ側の上記の上部のかごガイド構成要素の下向きの高さのオフセットは、向かい側の上方のかごガイド構成要素の高さに対して約０．２ｍ〜０．５ｍであり、これにより、かごの大きさに応じて２．２ｍ〜３ｍになる従来の垂直な中心線の間隔と比較した中心線の間の間隔の縮小が小さくなり、モータ側のエレベータかごの案内に極僅かに影響する一方で、この案内は、向かい側においては従来の形式と変わらない。
【０００６】
また、このオフセットは、異常時のかごのオーバトラベルをカバーする距離のマージンＤを含む。
【０００７】
本発明のこの構成により、かごを、エレベータ昇降路の上部に近接する高さである最上部に動かすことが可能になり、これによって、昇降路を高く建造する必要が無くなる。
【０００８】
上記かごガイド構成要素を、スライド式に対応するかごガイドレールを収容するＵ型の凹部を有するスライドまたは、該かごガイドレール上を転がるローラガイドにすることができる。
【０００９】
上記のオフセットしたかごガイド構成要素は、かご枠即ちアーチのポストに取り付けられたクロスビームに取り付けられ、このクロスビームは、かごガイド構成要素の高さ位置において、凹部即ち内側の歪みを備え、これにより、該構成要素が、エレベータかごの側面から極僅かに突出する。
【００１０】
また、本発明は、上述の説明で定義されているように、かご案内装置を備えたエレベータに関する。
【発明を実施するための最良の形態】
【００１１】
図面、特に図１、図３は、それぞれマシンルームレスエレベータのかご１のアーチを示しており、かご３及びカウンタウェイトは、昇降路７の上部側面に配置されたモータ５（図３）によって駆動される。モータ５は、小型であるとともに、昇降路７の側面に沿って水平方向に細長い形状を有するものの、垂直な突起が、モータ側のかごガイドスライド９の領域に衝突する。
【００１２】
モータ５は、かごガイドレール１１及び、同じ側でカウンタウェイトがスライドする（図示せず）２つの向かい合っているカウンタウェイト用レール１３の上部に取り付けられる。
【００１３】
エレベータかご３は、４つのガイドスライド９を有し、これらのスライド９は、２つが上部に、また別の２つが下部に配置されるとともに、該かご３の同一の垂直面に配置される。従来のＵ型断面を有するこれらのスライド９が、かご３の両側において互いに面している２つのかごガイドレール１１上をスライドする。下方のスライド９は、通常、かご枠のプラットフォームの垂直なスカート１５に取り付けられるとともに、かごの下端部（同一の高さ）において互いに相対している。
【００１４】
また、モータ側の上方のスライド９の向かい側のスライド９は、通常のように、エレベータかごの上端部の上部クロスビームに取り付けられ、このクロスビームは、かごアーチのポスト１９の端部に取り付けられる。
【００１５】
モータ側の上方のスライド９は、向かい側のスライド９に対して下方に約０．４ｍオフセットしており、故にエレベータかご上端部の従来の位置に対して下方にオフセットする。
【００１６】
このオフセットは、この場合、約２．２ｍであるスライドの従来の中心線の距離に対して小さく、従来のように間隔を空けて配置されたスライドを用いる案内と比較して、かごを案内する特性に極僅かしか影響しない。
【００１７】
所定の高さにオフセットされたスライド９は、所望の高さにおいてかごアーチのポスト１９の端部に取り付けられた独立したクロスビーム２１に取り付けられる。
【００１８】
このクロスビーム２１は、スライドを収容する内側の凹部２３を形成するように曲げられる（図２）。内側に傾斜した２つの向かい合ったウイング２５によって画定されたこの凹部２３は、平らであり、かご３のスライド９の位置に応じて変化する位置において、この凹部２３の長さの範囲内にスライド９を収容することができる。内側に曲げられたクロスビーム２１の壁部が、かごのパネル２７に近接して位置しており、内側凹部の奥行きを制限している。この凹部２３によって、かご外側のスライドの外側突起を小さくすることが可能になり、これにより、対応するガイドレール１１との間隔が近くなるとともに、昇降路７の断面を小さくすることが可能になる。
【００１９】
スライドの高さに構成されたこのオフセットにより、かご３を、図３に示すように、ビームの上部２９がモータ５の向かい側に位置し、かつ昇降路７の天井３１からの距離が短い位置となる最上部に上昇させることが可能になり、該かご３の上昇が、上方のスライド９によって妨げられることが無くなる。例えば、０．１５ｍであるスライド９とモータ５との間の距離のマージンＤは、かごの跳ね返り現象や、該かごが通常の移動範囲を越えて移動することによって生じる運転時の故障を考慮に入れて設定しなければならない。
【００２０】
無論、スライド９は、かごガイドレール１１上を転がるローラガイド構成要素に置き換えることができる。
【図面の簡単な説明】
【００２１】
【図１】かごガイドスライドを有するかご枠の斜視図。
【図２】クロスビームの高さにオフセットしているかごガイドスライドのアセンブリを示す平面図。
【図３】昇降路の最上部におけるかご位置を示す該昇降路の断面図。
【図１】
0004866849.tif 000002
【図２】
0004866849.tif 000003
【図３】
0004866849.tif 000004